(57)【要約】【課題】予め選んだ花束と本番で用いる花束との形態の違いを軽減するとともに、生花の利点を生かすことができる草花の保持具及びこの保持具を用いた花束を提供すること。【解決手段】一端側に開口部１１ａを有する貯水部１１と、前記貯水部１１の開口部１１ａを覆うとともに、草花の茎が挿入される挿入口１２ａが形成された蓋部１２と、前記貯水部１１又は蓋部１２ａに設けられた接続部１４と、この接続部１４に対向して被接続部１６が設けられた茎状部１３とを具備し、前記接続部１４が前記茎状部１３の被接続部１６に接離されることにより、貯水部１１が茎状部１３に着脱可能である。【選択図】図３
2018007702.tif 000002
【特許請求の範囲】
【請求項１】
一端側に開口部を有する貯水部と、
前記貯水部の開口部を覆うとともに、草花の茎が挿入される挿入口が形成された蓋部と、
前記貯水部又は蓋部に設けられた接続部と、
この接続部に対向して被接続部が設けられた茎状部と、
を具備し、
前記接続部が前記茎状部の被接続部に接離されることにより、貯水部が茎状部に着脱可能であることを特徴とする草花の保持具。
【請求項２】
請求項１に記載の草花の保持具であって、
草花を係止する係止手段及び前記貯水部の水分の外部への漏出を防止する保水手段が設けられていることを特徴とする草花の保持具。
【請求項３】
前記被接続部は、凹状の受部を有していることを特徴とする請求項１又は請求項２に記載の草花の保持具。
【請求項４】
造花と、
この造花より相対的に少ない数の前記請求項１乃至請求項３のいずれか一項に記載の保持具と、
を具備していることを特徴とする花束。
【請求項５】
前記保持具は、造花の略中央部に配置されていることを特徴とする請求項４に記載の花束。
【請求項６】
前記保持具には、生花又はプリザーブドフラワーが保持されることを特徴とする請求項４又は請求項５に記載の花束。
【発明の詳細な説明】
【技術分野】
【０００１】
本発明は、造花の中に、保持具に保持された生花を混在させることができる草花の保持具及びこの保持具を用いた花束に関する。
【背景技術】
【０００２】
従来、婚礼披露宴やパーティー等のイベントにおいて、会場を彩るものとして花束、特に婚礼披露宴ではブライダルブーケが用いられている。このブーケには、本来、主として生花が用いられる。生花は、本物としての鮮やかな色彩や香りをもたらし、みずみずしい美しさを表現できる。
【０００３】
しかしながら、生花は保存性に劣る欠点があり、このため、生花に保水する花束用保水ポットや保水容器が提案されている（特許文献１及び特許文献２参照）。一方、長期間の保存性に優れる造花やドライフラワーで作製されるブーケが知られている（特許文献３参照）。
【０００４】
ところで、例えば、婚礼披露宴にあたっては、婚礼を控えた女性は、一般的には事前に当日のドレスを決め、このドレスと調和のとれるブーケを形態、花種や価格等を勘案してカタログの中から選定し注文する。したがって、婚礼披露宴のリハーサルの場においては、当日用いられる生花のブーケを予め見ることはできず、生花のブーケは当日初めて見ることとなる。
【先行技術文献】
【特許文献】
【０００５】
【特許文献１】特開平７−５３号公報
【特許文献２】実用新案登録第３１１２４６７号公報
【特許文献３】特開２００７−１３０４３０号公報
【発明の概要】
【発明が解決しようとする課題】
【０００６】
しかしながら、婚礼披露宴の当日において、注文したブーケと生花ゆえの当日の本番のブーケとのイメージが違い、リハーサルにて想い描いていた光景と乖離が生じてしまう場合がある。
【０００７】
本発明は、上記課題に鑑みなされたもので、予め選んだ花束と本番で用いる花束との形態の違いを軽減するとともに、生花の利点を生かすことができる草花の保持具及びこの保持具を用いた花束を提供することを目的とする。
【課題を解決するための手段】
【０００８】
請求項１に記載の草花の保持具は、一端側に開口部を有する貯水部と、前記貯水部の開口部を覆うとともに、草花の茎が挿入される挿入口が形成された蓋部と、前記貯水部又は蓋部に設けられた接続部と、この接続部に対向して被接続部が設けられた茎状部と、を具備し、前記接続部が前記茎状部の被接続部に接離されることにより、貯水部が茎状部に着脱可能であることを特徴とする。
【０００９】
請求項２に記載の草花の保持具は、請求項１に記載の草花の保持具であって、草花を係止する係止手段及び前記貯水部の水分の外部への漏出を防止する保水手段が設けられていることを特徴とする。
係止手段及び保水手段は、同一の部材で兼用してもよく、また、これら手段を複数設けるようにしてもよい。
請求項３に記載の草花の保持具は、請求項１又は請求項２に記載の草花の保持具において、前記被接続部は、凹状の受部を有していることを特徴とする。
かかる発明により、接続操作を容易とすることができる。
【００１０】
請求項４に記載の花束は、造花と、この造花より相対的に少ない数の前記請求項１乃至請求項３のいずれか一項に記載の保持具と、を具備していることを特徴とする。
請求項５に記載の花束は、請求項４に記載の花束において、前記保持具は、造花の略中央部に配置されていることを特徴とする。
請求項６に記載の花束は、請求項４又は請求項５に記載の花束において、前記保持具には、生花又はプリザーブドフラワーが保持されることを特徴とする。
【発明の効果】
【００１１】
本発明の実施形態によれば、予め選んだ花束と本番で用いる花束との形態の違いを軽減するとともに、生花の利点を生かすことができる草花の保持具及びこの保持具を用いた花束を提供することができる。
【図面の簡単な説明】
【００１２】
【図１】本発明の第１の実施形態に係る造花の中に生花を混在させた花束を示す斜視図である。
【図２】同造花の中にプリザーブドフラワーを混在させた花束を示す斜視図である。
【図３】同保持具に切り花が保持されている状態を示す斜視図である。
【図４】同保持具を分解して示す斜視図である。
【図５】同保持具を示す断面図である。
【図６】同保持具の使用方法を示す説明図である。
【図７】第２の実施形態として実施例１の保持具の形態を示す斜視図である。
【図８】同実施例２の保持具の形態を示す斜視図である。
【図９】同実施例３の保持具の形態を示す斜視図である。
【図１０】第３の実施形態として実施例１の保持具の形態を示す斜視図である。
【図１１】同実施例２の保持具の形態を示す斜視図である。
【図１２】同実施例３の保持具の形態を示す斜視図である。
【発明を実施するための形態】
【００１３】
以下、本発明の第１の実施形態について図１乃至図６を参照して説明する。図１は、造花の中に生花を混在させた花束を示す斜視図であり、図２は、造花の中にプリザーブドフラワーを混在させた花束を示す斜視図である。図３は、保持具に切り花が保持されている状態を示す斜視図であり、図４は、保持具を分解して示す斜視図であり、図５は、保持具の断面図を示している。また、図６は、保持具の使用方法を示す説明図である。なお、各図において同一又は相当部分には同一符号を付し、重複する説明は省略する。
【００１４】
図１において、花束としてブライダルブーケ１を示している。このブライダルブーケ１は、造花２の中に生花３を混在させた婚礼披露宴の本番用のものである。生花３は、造花２の略中央部に配置され、生花３の周囲に造花２が配置されている。なお、生花３は、詳細を後述する保持具１０に保持されており、説明上、生花３を太線で示している。
【００１５】
これら造花２及び生花３は、生花３よりも相対的に造花２の本数が多くなっている。つまり、造花２の中の一部に生花３が配置されている。具体的には、本実施形態においては、造花２が１５本、生花３が３本となっている。
【００１６】
また、これら造花２及び生花３の茎部がフローラルテープ等の結束部材４によって結束されてブーケ１が構成されている。さらに、茎部には装飾リボン５が結び付けられて取付けられている。
【００１７】
図２においては、リハーサル用のブライダルブーケ１ａを示している。このリハーサル用のブライダルブーケ１ａは、前記本番用のブライダルブーケ１には生花３が配置されているのに対し、プリザーブドフラワー３ａが配置されている点が異なっている。
【００１８】
リハーサル用のブライダルブーケ１ａは、基本的には、本番用のブライダルブーケ１の生花３がプリザーブドフラワー３ａに変更されたのみである。したがって、プリザーブドフラワー３ａが造花２の略中央部に配置され、プリザーブドフラワー３ａの周囲に造花２が配置され、造花２の中にプリザーブドフラワー３ａが混在して配置されている。なお、前述と同様に、プリザーブドフラワー３ａは、保持具１０に保持されており、説明上、プリザーブドフラワー３ａを太線で示している。
【００１９】
次に、図３乃至図５を参照して草花の保持具１０について説明する。保持具１０は、貯水部１１と、蓋部１２と、茎状部１３とを備えている。保持具１０は、生花３やプリザーブドフラワー３ａを保持する機能を有するものである。
【００２０】
貯水部１１は、透明又は半透明の樹脂材料から略円筒状に形成されており、一端側に開口部１１ａを有し、他端側に接続部１４を有している。具体的には、貯水部１１は、容器状であって、一端側（上部）の開口部１１ａに向かって拡開するように径が大きくなるように形成されている。また、接続部１４は、貯水部１１の他端側（底部）に形成されており、底部から上部に向かって凹んだテーパ状の凹部１４ａを有している。
【００２１】
蓋部１２は、貯水部１１の開口部１１ａに着脱可能となっていて、弾性を有するゴム材料等でキャップ状に形成されており、略中央部に草花の茎が挿入される挿入口１２ａが形成されている。挿入口１２ａは、蓋部１２を貫通する円形状の貫通孔である。この蓋部１２は、貯水部１１の開口部１１ａを閉塞するように側壁が弾性変形して、貯水部１１の開口部１１ａに密着して装着される。
なお、蓋部１２は、例えば、樹脂材料で形成してもよい。この場合は、蓋部１２が貯水部１１の開口部１１ａにねじ嵌合するように構成するのが好ましい。
【００２２】
また、貯水部１１の中には、保水材１５が配設されている。具体的には、保水材１５は略円柱状に形成された吸水性スポンジである。なお、保水材１５は、貯水部１１の中に収容して適宜手段で固定されるようにしてもよい。また、保水材１５は、水分が貯水部１１から漏出することなく、保水機能を有する材料で形成されていればよく、例えば、綿、不織布や繊維状の高分子ポリマー等を用いることができる。
【００２３】
茎状部１３は、樹脂材料で形成されており、草花の茎に相当する部分である。細長状であって、柔軟性を有し、一端側に被接続部１６が設けられている。被接続部１６は、前記貯水部１１の接続部１４と対向して設けられ、接続部１４が接離可能となっている。したがって、貯水部１１は、茎状部１３に着脱可能となっている。
【００２４】
詳しくは、被接続部１６は、凹状のカップ形状の受部１６ａをなしていて、この受部１６ａは、貯水部１１の他端側（底部）の外形と略同形状の凹状に形成されている。また、受部１６ａの底部には、テーパ状の凸部１６ｂが形成されている。なお、茎状部１３は、金属製のワイヤで構成してもよい。また、前記樹脂材料で形成された茎状部１３にワイヤを沿わせて構成し、これらを折曲して、折曲状態を保持できるようにしてもよい。この場合、茎状部１３を折曲して花部を所望の方向に向けやすくなる。
続いて、保持具１０に生花３又はプリザーブドフラワー３ａ等の草花を保持する場合について説明する。
【００２５】
まず、貯水部１１の蓋部１２を取り外し、必要に応じ貯水部１１に水を入れ（生花３の場合には水が必要であり、プリザーブドフラワー３ａの場合には水は不要となる）、保水材１５に水を含水させる。次いで、貯水部１１に蓋部１２を装着し、生花３又はプリザーブドフラワー３ａ等の茎部Ｓを挿入口１２ａから挿入し、その茎部Ｓを保水材１５に差し込む。これにより、生花３又はプリザーブドフラワー３ａは、貯水部１１に保持されるようになる。
【００２６】
この状態で、貯水部１１の接続部１４を茎状部１３の被接続部１６に接続する。具体的には、貯水部１１側のテーパ状の凹部１４ａに茎状部１３側のテーパ状の凸部１６ｂを嵌合して接続する。この場合、被接続部１６の受部１６ａに貯水部１１の底部がガイドされるように凹部１４ａが凸部１６ｂに嵌合するので、接続操作を容易とすることができる。
【００２７】
また、貯水部１１の接続部１４と茎状部１３の被接続部１６との接続を解除する場合には、貯水部１１を茎状部１３から引き離すように所定の力を加えて引っ張ればよい。
このように貯水部１１の接続部１４を茎状部１３の被接続部１６に接離することにより、貯水部１１を茎状部１３に着脱可能とすることができる。
【００２８】
なお、例えば、テーパ状の凸部１６ｂの外周に小突起を設けて、凹部１４ａと凸部１６ｂとがスナップフィット式に接続されるようにしてもよく、貯水部１１の接続部１４と茎状部１３の被接続部１６との接続構造は格別特定の方式に限定されるものではない。
【００２９】
ここで、ブーケは、人が把持して用いられるため垂直の静止状態のみならず、斜めに傾けられたり、振られたりする動作が加えられる場合がある。したがって、このような動作が加えられた場合にも、貯水部１１から花が抜け落ちず、また、貯水部１１から水が外部へ漏出しない手段が必要となる。
【００３０】
つまり、貯水部１１から草花が抜け落ちないようにする係止手段、貯水部１１から水が外部へ漏出しないようにする保水手段が必要となる。この係止手段及び保水手段は、後述するように様々な形態があるが、本実施形態においては、係止手段は、茎部Ｓが差し込まれる保水材１５が該当し、保水手段は、保水機能を有する保水材１５が該当する。すなわち、保水材１５が係止手段及び保水手段の双方を兼ねている場合を示している。
【００３１】
次に、リハーサルに用いるリハーサル用のブライダルブーケ１ａから婚礼披露宴の当日の本番用のブライダルブーケ１の作製及び使用方法について図６を併せて参照して説明する。図６において、左側の図は貯水部１１にプリザーブドフラワー３ａが保持されている状態を示し、右側の図は貯水部１１に生花３が保持されている状態を示している。
【００３２】
リハーサルにおいては、図２に示すようなリハーサル用のブライダルブーケ１ａを用いる。このブライダルブーケ１ａは、既述のように造花２の中にプリザーブドフラワー３ａが保持具１０に保持されて配置されている。なお、リハーサルにあたっては、プリザーブドフラワー３ａに替えて造花を用いるようにしてもよい。
【００３３】
婚礼披露宴の当日の本番用のブライダルブーケ１の作製にあたっては、まず、ブライダルブーケ１ａ中の保持具１０における貯水部１１をプリザーブドフラワー３ａとともに茎状部１３から取り外す。この状態から図６に示すように、貯水部１１に差し込まれて保持されたプリザーブドフラワー３ａを貯水部１１から抜き取る。
【００３４】
そして、貯水部１１の蓋部１２を取り外し、貯水部１１に水Ｗを注入し、保水材１５に水を含水させる。再び、貯水部１１に蓋部１２を装着し、生花３の茎部Ｓを挿入口１２ａから挿入し、保水材１５に差し込んで生花３を貯水部１１に保持する。次いで、生花３が保持された貯水部１１を茎状部１３に装着する。このように図１に示すブライダルブーケ１が作製され、婚礼披露宴の当日に用いられる。
【００３５】
以上のように本実施形態によれば、婚礼披露宴の当日の本番用のブライダルブーケ１は、生花３を用いることができ、リハーサル用のブライダルブーケ１ａにおけるプリザーブドフラワー３ａが生花３に入れ替わるだけである。
【００３６】
したがって、予め選んだブライダルブーケ１ａと本番で用いるブライダルブーケ１との形態をほとんど同じものとすることができ、形態の違いを軽減できるとともに、生花３の利点を生かすことが可能となる。このため、本番で用いるブライダルブーケ１を、リハーサルの段階でドレス等の衣装との関係でアレンジすることができる。
【００３７】
具体的には、保持具１０に保持される生花３、プリザーブドフラワー３ａよりも相対的に造花２の本数が多くなり、また、生花３、プリザーブドフラワー３ａは、造花２の略中央部に配置され、その周囲に造花２が配置されるので、本番用のブライダルブーケ１とリハーサル用のブライダルブーケ１ａとの造花２は同じものであり、双方の形態をほとんど同じものとすることができる。
【００３８】
また、本番用のブライダルブーケ１においては、生花３を水分を供給しながら用いることができるので、自然な鮮やかな色彩や香り、みずみずしい美しさを長時間にわたってもたらすことができる。
【００３９】
さらに、係止手段により、貯水部１１から生花３等が抜け落ちないようにすることができ、保水手段により、貯水部１１から水が外部へ漏出しないようにすることができる。
婚礼披露宴が終了後には、保持具１０に保持される生花３をプリザーブドフラワー３ａに替えることにより、数年は元のブーケの形態を維持することができる。
【００４０】
また、ハーサル用のブライダルブーケ１ａから本番用のブライダルブーケ１の作製にあたっては、作製作業が簡素化でき手間を軽減させてコストダウンを図ることができる。
【００４１】
加えて、例えば、婚礼披露宴を会社関係の出席者のもとで行い、後日、再度遠方の実家で行う場合にも、ブーケの再利用が可能となり、また、海外で婚礼披露宴を行い、国内で再度披露宴を行う場合にも、ブーケの再利用が可能となり、効果的にブーケを利用することができる。
【００４２】
なお、草花の販売面においては、店舗に飾る盛花にプリザーブドフラワーを入れ、このプリザーブドフラワーを生花に替える場合には特別料金とするような販売方法を採用できる。
【００４３】
次に、第２の実施形態において、保持具の形態について図７乃至図９を参照して説明する。なお、第１の実施形態と同一又は相当部分には同一符号を付し、重複する説明は省略する。本実施形態は、貯水部１１と茎状部１３との着脱可能な接続構造を示している。
（実施例１）
【００４４】
図７に示すように、茎状部１３の被接続部１６は、凹状のカップ形状の受部１６ａをなしている。この受部１６ａは、貯水部１１がすっぽり入る形状に形成されている。また、受部１６ａの開口の一端側には、ばね１６ｃによって付勢された係止爪１６ｄが設けられている。
【００４５】
このような構成において、貯水部１１を受部１６ａに挿入すると、係止爪１６ｄの先端部が貯水部１１の蓋部１２の上面に引っ掛かり係合し、貯水部１１が茎状部１３に装着される。一方、貯水部１１を茎状部１３から取り外す場合には、係止爪１６ｄを操作して係合を解くことにより行うことができる。したがって、本実施例における接続部１４は、貯水部１１の蓋部１２が相当することとなる。
（実施例２）
【００４６】
図８に示すように、貯水部１１の接続部１４及び茎状部１３の被接続部１６に磁石１７を配設したものである。この磁石方式の接続構造により貯水部１１を茎状部１３に容易に着脱可能とすることができる。
（実施例３）
【００４７】
図９に示すように、本実施例の接続構造は、ねじ方式である。具体的には、貯水部１１の接続部１４における凹部１４ａには、雌ねじ部が形成されており、茎状部１３の被接続部１６には雄ねじ部が形成されている。
したがって、このねじ方式によって、接続部１４と被接続部１６とが接離可能であり、貯水部１１を茎状部１３に着脱可能とすることができる。
【００４８】
次に、第３の実施形態において、保持具における前記係止手段及び保水手段の形態について図１０乃至図１２を参照して説明する。なお、第１の実施形態と同一又は相当部分には同一符号を付し、重複する説明は省略する。
（実施例１）
【００４９】
図１０に示すように、本実施例は、主として係止手段の例を示したものである。第１の例は、草花の茎部Ｓにワイヤ１８を絡ませて草花を保持するものである。ワイヤ１８は、貯水部１１の係止手段取付部１８ａに取付けられ、茎部Ｓに絡ませることができるようになっている。
第２の例は、貯水部１１の底部にピン状の突起物１９を設けたものである。この突起物１９に茎部Ｓを差し込み草花を保持する構成である。
また、保水手段としては、繊維状の高分子ポリマーの保水材１５が設けられている。この保水材１５に水分を含水させることができる。
（実施例２）
【００５０】
図１１に示すように、貯水部１１における蓋部１２の挿入口１２ａに茎部Ｓを含めて接着剤２０を塗布したものである。したがって、この接着剤２０によって、草花は保持され、また、挿入口１２ａは閉塞されるので、貯水部１１内の水の外部への漏出を防止することができる。この場合、保水手段としての保水材１５を設けることなく、貯水部１１内に直接水を入れた場合にも漏出を防ぐことができる。
【００５１】
また、本実施例では、茎部Ｓを接着剤２０で固定するため、リハーサル用のブライダルブーケ１ａの場合と本番用のブライダルブーケ１の場合とは、貯水部１１を含めて取り替えることとなる。
本実施例においては、接着剤２０は、係止手段及び保水手段の双方の機能を有する部材となっている。
（実施例３）
【００５２】
図１２に示すように、貯水部１１における蓋部１２の挿入口１２ａとして、十字状の切り込みによって係止手段を形成したものである。このような構成によれば、茎部Ｓを切り込みの各片によって弾性的に保持することが可能となる。なお、切り込みは、十字状に限らず直線状であってもよい。
以上の各実施例における係止手段及び保水手段は、１つ設けても、より効果を確実にするために複数設けてもよく、設計に応じて適宜選択することができる。
【００５３】
本発明は、上記各実施形態の構成に限定されることなく、発明の要旨を逸脱しない範囲で種々の変形が可能である。また、上記各実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【００５４】
例えば、花束は、ブライダルブーケに限らず、葬儀用の花束であっても適用できる。基本的な形態を造花で作っておき、希望に応じて生花を混在させる場合に好適となる。
【００５５】
また、保持具は、花束ばかりではなく草花を用いるすべての装飾品等に適用が可能であり、格別適用商品や適用場所が限定されるものではない。例えば、ドレスにつける装飾や髪飾り等にも適用可能であり、さらに、壁面や床面の装飾等、屋内又は屋外における各種装飾に適用することができる。
【符号の説明】
【００５６】
１・・・・・本番用のブライダルブーケ
１ａ・・・・リハーサル用のブライダルブーケ
２・・・・・造花
３・・・・・生花
４・・・・・結束部材
５・・・・・装飾リボン
１０・・・・保持具
１１・・・・貯水部
１１ａ・・・開口部
１２・・・・蓋部
１２ａ・・・挿入口
１３・・・・茎状部
１４・・・・接続部
１５・・・・保水材
１６・・・・被接続部
１６ａ・・・受部
【図１】
2018007702.tif 000003
【図２】
2018007702.tif 000004
【図３】
2018007702.tif 000005
【図４】
2018007702.tif 000006
【図５】
2018007702.tif 000007
【図６】
2018007702.tif 000008
【図７】
2018007702.tif 000009
【図８】
2018007702.tif 000010
【図９】
2018007702.tif 000011
【図１０】
2018007702.tif 000012
【図１１】
2018007702.tif 000013
【図１２】
2018007702.tif 000014